(57)【要約】【課題】設置が容易であり、且つ、支持棒から床までのサイズに合うように縦寸法を調整することができるカーテン体を提供すること。【解決手段】本発明は、支持棒１０と、環状紐２０と、カーテン地３０とからなり、複数の環状紐２０が該支持棒１０にスライド自在となるように引っ掛けられており、カーテン地３０の上端部３１には複数の紐用通し孔３１ａが設けられ、環状紐２０が紐用通し孔３１ａにそれぞれ挿通されており、カーテン地３０が環状紐２０に支持され、環状紐２０の環部分の周長が調整可能となっているカーテン体Ａである。【選択図】図１
2018201720.tif 000002
【特許請求の範囲】
【請求項１】
支持棒と、環状紐と、カーテン地とからなり、
複数の前記環状紐が該支持棒にスライド自在となるように引っ掛けられており、
前記カーテン地の上端部には複数の紐用通し孔が設けられ、
前記環状紐が前記紐用通し孔にそれぞれ挿通されており、
前記カーテン地が前記環状紐に支持され、
前記環状紐の環部分の周長が調整可能となっているカーテン体。
【請求項２】
前記環状紐が、帯状の紐の一端と他端とを結んで、該紐を環状としたものである請求項１記載のカーテン体。
【請求項３】
前記環状紐が、結束用ボタンと結束用通し孔とが設けられた帯状の紐の前記結束用ボタンを前記結束用通し孔に挿通させて、該紐を環状としたものである請求項１記載のカーテン体。
【請求項４】
前記環状紐が、タッチファスナーのフック部とループ部とが設けられた帯状の紐の前記フック部と前記ループ部とを結束させて、該紐を環状としたものである請求項１記載のカーテン体。
【請求項５】
前記環状紐が、帯状の紐を結束具で結束することにより環状としたものである請求項１記載のカーテン体。
【請求項６】
カーテン地の前記上端部が、複数の生地が重ねられた多重生地部である請求項１〜５のいずれか１項に記載のカーテン体。
【請求項７】
カーテン地の上端を折り畳むことにより、前記上端部が形成されている請求項６記載のカーテン体。
【請求項８】
前記カーテン地の両側には、係止用ボタンと、係止用通し孔とが設けられており、
前記係止用ボタンが前記係止用通し孔に挿通可能となっている請求項１〜７のいずれか１項に記載のカーテン体。
【発明の詳細な説明】
【技術分野】
【０００１】
本発明は、カーテン体に関し、更に詳しくは、設置が容易であり、且つ、支持棒から床までのサイズに合うように縦寸法を調整することができるカーテン体に関する。
【背景技術】
【０００２】
住宅等においては、遮光、防音、間仕切り等を目的として、カーテンが用いられている。
かかるカーテンにおいて、カーテン地は、一般に、窓の内側の上方にカーテンレールを取り付け固定し、カーテンレールにライナーを取り付け、当該ライナーにフック等を介して取り付けられる。
【０００３】
ところで、これまでのカーテンの分野においては、カーテンレール、ライナー、フック及びカーテン地からなるという基本構成を前提に、カーテンレールの改良やライナーの改良等が多くなされている。
例えば、カーテンレールの発明としては、木質棒状体の下面の溝内にレールを設け、レールに複数個のカーテン地取付用ランナーが移動可能に設けたカーテンレール（例えば、特許文献１参照）や長尺のカーテンレール本体に、ランナーを長さ方向に沿って走行自在に支持するランナー支持部が形成されたカーテンレール（例えば、特許文献２参照）が知られている。
また、ランナーの発明としては、カーテンレールに移動可能に遊嵌されてカーテンを吊り下げるものであり、複数個のランナーが一列を成して成形され、各ランナーは容易に切り離せ得る繋ぎによって連結されているランナー（例えば、特許文献３参照）が知られている。
【０００４】
なお、異なるタイプのカーテンとしては、カーテンレールのランナーに支持具を介して吊着されるパネル型カーテンがある。
具体例としては、例えば、支持具を掛止可能である長尺の保持枠体と、該保持枠体に支持されたカーテン材とを備え、保持枠体が、表側にレール部を有する第１連結バーと、裏側に該第１連結バーのレール部にスライド可能に嵌め込まれた突出したスライダーを有する第２連結バーとを有し、スライダーとレール部とがバヨネット構造となっているパネル型カーテンが知られている。
【先行技術文献】
【特許文献】
【０００５】
【特許文献１】特開平０７−３２７８１２号公報
【特許文献２】特開平０８−２１５０２９号公報
【特許文献３】国際公開第２０１２／１６８９８７号パンフレット
【発明の概要】
【発明が解決しようとする課題】
【０００６】
しかしながら、上記特許文献１〜３に記載のカーテンを含む従来のカーテンは、設置する際に、予めカーテンレールを取り付け固定する必要があり、更に、カーテン地にフックを取り付け、そのフックをカーテンレールのライナーに取り付けなければならないため、設置に極めて手間がかかるという欠点がある。
また、用いるカーテン地を、カーテンレールから床までのサイズに合った寸法とする必要があるところ、規格サイズのカーテン地がその寸法に一致しない場合は、寸法を一致させたカーテン地をわざわざオーダーメイドしなければならないという欠点がある。
さらには、引っ越し等により、カーテンを用いる場所が変更すると、そのカーテン地が、新たな場所のカーテンレールから床までのサイズに合った寸法とはならない場合が多く、カーテン地を新たに作り直さなければならないという事態も生じている。
【０００７】
本発明は、上記事情に鑑みてなされたものであり、設置が容易であり、且つ、支持棒から床までのサイズに合うように縦寸法を調整することができるカーテン体を提供することを目的とする。
【課題を解決するための手段】
【０００８】
本発明者らは、上記課題を解決するため鋭意検討したところ、支持棒に環状紐を引っ掛け、環状紐がカーテン地を支持するものとし、更に、環状紐の環部分の周長を調整可能とすることにより、上記課題を解決し得ることを見出し、本発明を完成するに至った。
【０００９】
本発明は、（１）支持棒と、環状紐と、カーテン地とからなり、複数の環状紐が該支持棒にスライド自在となるように引っ掛けられており、カーテン地の上端部には複数の紐用通し孔が設けられ、環状紐が紐用通し孔にそれぞれ挿通されており、カーテン地が環状紐に支持され、環状紐の環部分の周長が調整可能となっているカーテン体に存する。
【００１０】
本発明は、（２）環状紐が、帯状の紐の一端と他端とを結んで、該紐を環状としたものである上記（１）記載のカーテン体に存する。
【００１１】
本発明は、（３）環状紐が、結束用ボタンと結束用通し孔とが設けられた帯状の紐の結束用ボタンを結束用通し孔に挿通させて、該紐を環状としたものである上記（１）記載のカーテン体に存する。
【００１２】
本発明は、（４）環状紐が、タッチファスナーのフック部とループ部とが設けられた帯状の紐のフック部とループ部とを結束させて、該紐を環状としたものである上記（１）記載のカーテン体に存する。
【００１３】
本発明は、（５）環状紐が、帯状の紐を結束具で結束することにより環状としたものである上記（１）記載のカーテン体に存する。
【００１４】
本発明は、（６）カーテン地の上端部が、複数の生地が重ねられた多重生地部である上記（１）〜（５）のいずれか１つに記載のカーテン体に存する。
【００１５】
本発明は、（７）カーテン地の上端を折り畳むことにより、上端部が形成されている上記（６）記載のカーテン体に存する。
【００１６】
本発明は、（８）カーテン地の両側には、係止用ボタンと、係止用通し孔とが設けられており、係止用ボタンが係止用通し孔に挿通可能となっている上記（１）〜（７）のいずれか１つに記載のカーテン体に存する。
【発明の効果】
【００１７】
本発明のカーテン体においては、環状紐を支持棒に引っ掛け、環状紐にカーテン地を支持させるだけで、容易に設置することができる。
また、環状紐の環部分の周長が調整可能となっているので、例えば、周長を短くすることにより、カーテン地自体を比較的上側に配置することができ、周長を長くすることにより、カーテン地を比較的下側に配置することができる。このことから、支持棒から床までのサイズに合うように、カーテン体全体の縦寸法を調整することが可能となっている。
【００１８】
本発明のカーテン体において、環状紐が、帯状の紐の一端と他端とを結んで、該紐を環状としたものである場合、結ぶ位置を変えるだけで、環状紐の環部分の周長を容易に調整することができる。
また、結び目を蝶結び等にすることにより、意匠性にも優れるものとすることができる。
また、吊った状態のカーテン地を、結び目を解くのみで、容易に取り外すことができる。なお、結び目は、解きやすい結び方を選択することが好ましい。
【００１９】
本発明のカーテン体において、環状紐が、結束用ボタンと結束用通し孔とが設けられた帯状の紐の結束用ボタンを結束用通し孔に挿通させて、該紐を環状としたものである場合、全ての紐の結束用ボタン及び結束用通し孔の位置を同一とすることにより、作製された環状紐の環部分は全て同一の周長となる。これにより、支持棒からカーテン地までの距離を容易に一定とすることができる。
また、結束用ボタンを結束用通し孔に挿通させるだけで簡単に環状紐を作製することができる。
また、結束用ボタンに着色等の装飾を施すことにより、意匠性を向上させることもできる。
【００２０】
本発明のカーテン体において、環状紐が、タッチファスナーのフック部とループ部とが設けられた帯状の紐のフック部とループ部とを結束させて、該紐を環状としたものである場合、結束させる位置を変えるだけで、環状紐の環部分の周長を容易に調整することができる。
また、フック部とループ部とを結束させるだけで簡単に環状紐を作製することができる。
【００２１】
本発明のカーテン体において、帯状の紐を結束具で結束することにより環状としたものである場合、結束具で結束させる位置を変えるだけで、環状紐の環部分の周長を容易に調整することができる。
また、結束具で結束させるだけで簡単に環状紐を作製することができる。
また、結束具に着色等の装飾を施すことにより、意匠性を向上させることもできる。
【００２２】
本発明のカーテン体においては、カーテン地の上端部を、複数の生地が重ねられた多重生地部とすることにより、複数の紐用通し孔が設けられた上端部を補強することができる。その結果、紐用通し孔周辺に付与されるカーテン地の重量負荷により、カーテン地が破損する等の事態が生じることを抑制できる。
なお、かかる上端部は、例えば、カーテン地の上端を折り畳むことにより、容易に形成することができる。
【００２３】
本発明のカーテン体においては、カーテン地の両側に、係止用ボタンと、係止用通し孔とが設けられており、係止用ボタンが係止用通し孔に挿通可能となっている場合、カーテン地を折り畳んで、係止用ボタンを係止用通し孔に挿通させることにより、カーテン地を折り畳んだ状態で維持することができる。
例えば、風通しを良くするため、カーテンの下側を開けたい場合等に利用することができる。
【図面の簡単な説明】
【００２４】
【図１】図１は、本発明に係るカーテン体の一実施形態を示す正面図である。
【図２】図２の（ａ）は、本実施形態に係るカーテン体において環状紐の元となる帯状の紐を示す正面図であり、（ｂ）は、（ａ）の帯状の紐を支持棒及びカーテン地に取り付ける最中の状態を示す説明図であり、（ｃ）は、（ａ）の帯状の紐を二重止め結びで結んで環状紐とした例を示す正面図である。
【図３】図３の（ａ）及び（ｂ）は、本実施形態に係るカーテン体の環状紐の環部分の周長を調整した場合を説明するための説明図である。
【図４】図４の（ａ）及び（ｂ）は、本実施形態に係るカーテン体の使用例を示す正面図である。
【図５】図５は、他の実施形態に係るカーテン体において環状紐の元となる帯状の紐を支持棒及びカーテン地に取り付ける最中の状態を示す説明図である。
【図６】図６は、他の実施形態に係るカーテン体において帯状の紐を蝶結びで結んで環状紐とした例を示す部分正面図である。
【図７】図７の（ａ）及び（ｂ）は、他の実施形態に係るカーテン体において環状紐の元となる帯状の紐を示す正面図である。
【図８】図８の（ａ）及び（ｂ）は、図７の（ａ）に示す帯状の紐を用いてカーテン地に取り付けた状態を示す部分正面図である。
【図９】図９の（ａ）及び（ｂ）は、他の実施形態に係るカーテン体において環状紐の元となるロープを支持棒及びカーテン地に取り付ける最中の状態を示す説明図である。
【発明を実施するための形態】
【００２５】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２６】
本発明に係るカーテン体は、遮光、防音、間仕切り等を目的として、窓の内側等の屋内に取り付けて用いられる。
また、カーテン体においては、カーテン地を横方向にスライドさせることにより、カーテンの開閉が可能となっている。
【００２７】
図１は、本発明に係るカーテン体の一実施形態を示す正面図である。
図１に示すように、本実施形態に係るカーテン体Ａは、支持棒１０と、当該支持棒１０に引っ掛けられた複数の環状紐２０と、当該環状紐２０に支持されたカーテン地３０とからなる。すなわち、カーテン体Ａは、従来の基本構成たるカーテンレール、ライナー及びフックを有しておらず、支持棒１０、環状紐２０及びカーテン地３０からなるというシンプルな構成となっている。
また、本実施形態に係るカーテン体Ａにおいては、環状紐を支持棒１０に引っ掛け、環状紐にカーテン地３０を支持させるだけで、容易に設置することが可能となっている。
【００２８】
カーテン体Ａにおいて、支持棒１０は、棒状であれば、材質は特に限定されない。
支持棒１０は、その両端が、壁や天井に固定されたものであってもよい。例えば、カーテンレールが設けられた既存の支持棒１０を利用することができる。なお、この場合、カーテンレールの部分は使用しなくて良い。
また、壁や天井に取り付けられたフレームや、吊り下げワイヤー等の吊り具を介して取り付けられていてもよい。
また、支持棒１０は、壁や天井に着脱自在に取り付けられたものであってもよい。例えば、伸縮自在な突っ張り棒等の伸縮棒を利用することができる。
なお、これらの中でも、支持棒１０は、壁や天井若しくはフレームや吊り具から着脱自在となっていることが好ましい。
【００２９】
カーテン体Ａにおいては、支持棒１０に、複数の環状紐２０が引っ掛けられている。換言すると、複数の環状紐２０の内側を、支持棒１０が挿通した形態となっている。
また、複数の環状紐２０は、それぞれ独立に、支持棒１０の長手方向に沿ってスライド自在となっている。このため、複数の環状紐２０に支持されたカーテン地３０は、支持棒１０に対して、環状紐２０と共にスライドすることになる。これにより、カーテンが開閉される。
【００３０】
図２の（ａ）は、本実施形態に係るカーテン体において環状紐の元となる帯状の紐を示す正面図であり、（ｂ）は、（ａ）の帯状の紐を支持棒及びカーテン地に取り付ける最中の状態を示す説明図であり、（ｃ）は、（ａ）の帯状の紐を二重止め結びで結んで環状紐とした例を示す正面図である。なお、図２の（ｃ）においては、支持棒１０及びカーテン地３０の記載を省略している。
【００３１】
図２の（ａ）に示すように、カーテン体Ａにおいて、各環状紐２０は、１本の帯状の紐２１から形成される。
ここで、紐２１としては、特に限定されないが、例えば、綿、麻、絹、羊毛、カシミヤ等の天然繊維、レーヨン、アセテート、トリアセテート、ナイロン、ポリエステル、アクリル、ポリ塩化ビニル、ポリウレタン等の合成繊維、ガラス、金属等の無機繊維等を用いた織紐、編紐、組紐が挙げられ、その他、ポリオレフィンやポリ塩化ビニル等を用いたビニール紐、紙紐、ゴム紐、革紐、ロープ等が挙げられる。
なお、環状紐２０は、着色されていてもよく、別の装飾具が取り付けられていてもよい。
【００３２】
カーテン体Ａにおいては、図２の（ｂ）に示すように、帯状の紐２１が、支持棒１０に引っ掛けられ、その両側の自由端がカーテン地３０の裏側から表側に突き抜けるように、紐用通し孔３１ａに通される。
そして、カーテン地３０の表側で、紐２１の一端と他端とを束ねて、例えば、図２の（ｃ）に示すように、二重止め結びで結ぶ。
これにより、当該紐２１が環状となった環状紐２０が形成される。すなわち、結び目より上の環部分Ｒ１と結び目より下の紐部分Ｒ２とを有する環状紐２０が形成される。
また、結び目が紐用通し孔３１ａより大きくなるため、カーテン地３０が環状紐２０の結び目のところで支持されることになる。
【００３３】
このように、カーテン地３０は、結ばれた環状紐２０に支持されているので、結び目を解くことにより、当該カーテン地３０を容易に取り外すことが可能である。これにより、カーテン地３０の洗濯や別のデザインのカーテン地３０への交換を容易に行うことができる。なお、例えば、デザインの異なるカーテン地３０に頻繁に交換したい場合は、結び目は、解きやすい結び方を選択することが好ましい。
また、カーテン体Ａにおいては、環状紐２０が、帯状の紐２１から形成されるので、例えば、結ぶ位置を変えることにより、環状紐２０の環部分Ｒ１の周長を調整することが可能となっている。
【００３４】
図３の（ａ）及び（ｂ）は、本実施形態に係るカーテン体の環状紐の環部分の周長を調整した場合を説明するための説明図である。
例えば、図３の（ａ）に示すように、環状紐２０の環部分Ｒ１の周長を短くすることにより、支持棒１０とカーテン地３０との間の距離Ｌ１が短くなり、カーテン地３０自体を比較的上側に配置することができる。
一方、図３の（ｂ）に示すように、環部分Ｒ１の周長を長くすることにより、支持棒１０とカーテン地３０との間の距離Ｌ２が長くなり、カーテン地３０を比較的下側に配置することができる。
すなわち、本実施形態に係るカーテン体Ａにおいては、環状紐２０の周長を調整することにより、床Ｇからカーテン体Ａの下端までの高さＨ１，Ｈ２を、適宜調整することが可能となっている。
【００３５】
このように、本実施形態に係るカーテン体Ａにおいては、カーテン体Ａ全体の縦寸法を調整することが可能となっているため、カーテン地３０自体の寸法を適宜調整する必要はない。
また、引っ越し等により、カーテンを用いる場所が変更したとしても、新たな場所の支持棒１０から床Ｇまでのサイズに合うように、カーテン体Ａ全体の縦寸法を調整することができるため、カーテン地３０を新たに作り直す手間を省くことができる。
【００３６】
ここで、カーテン地３０は、正面視で矩形状の生地からなる。いわゆるドレープは有していても有していなくてもよい。
カーテン地３０の素材としては、例えば、綿、麻、絹、羊毛、カシミヤ等の天然繊維、レーヨン、アセテート、トリアセテート、ナイロン、ポリエステル、アクリル、ポリ塩化ビニル、ポリウレタン等の合成繊維等が挙げられる。
【００３７】
なお、カーテン地３０は、模様が描かれていてもよく、別の装飾具が取り付けられていてもよい。
また、カーテン地３０には、遮光、遮熱、保温、撥水、防音、ミラー、防炎、紫外線カット、形態安定等の機能が付与されていてもよい。
【００３８】
図１に戻り、カーテン地３０は、上端に上端部３１が設けられている。
そして、かかる上端部３１には、上述したように、複数の紐用通し孔３１ａが設けられている（図２の（ｂ）参照）。
【００３９】
ここで、上端部３１は、複数の生地が重ねられて、多重生地部となっている。これにより、複数の紐用通し孔３１ａが設けられた上端部３１が補強される。
その結果、カーテン体Ａにおいて、カーテン地３０を吊り下げた場合、紐用通し孔３１ａ周辺に付与されるカーテン地３０の重量負荷により、カーテン地３０が破損する等の事態が生じることを抑制することができる。
【００４０】
なお、生地の多重生地部は、カーテン地３０に縫製等により生地を貼り合わせたものであってもよく、カーテン地３０の上端を折り畳むことにより形成されたものであってもよい。
これらの中でも、上端部３１は、比較的容易に形成できることから、カーテン地３０の上端を折り畳んで形成することが好ましい。
このとき、上端部３１の厚みは、２〜６ｍｍであることが好ましく、３〜５ｍｍであることがより好ましい。
厚みが２ｍｍ未満であると、厚みが上記範囲内にある場合と比較して、上端部３１の補強が不十分となる傾向にあり、厚みが６ｍｍを超えると、厚みが上記範囲内にある場合と比較して、重量が大きくなると共に、風合いが悪くなる欠点がある。
【００４１】
上端部３１において、紐用通し孔３１ａは、水平方向に延びる切れ込みからなる。
ここで、紐用通し孔３１ａの幅Ｗ２は、環状紐２０の幅Ｗ１以下であることが好ましい（図２の(ａ)及び（ｂ）参照）。この場合、環状紐２０の結び目が、紐用通し孔３１ａから抜けにくくなる。
【００４２】
カーテン地３０においては、その両側に、係止用ボタン３２ｂと、係止用通し孔３２ａとが設けられている。
そして、係止用ボタン３２ｂは、係止用通し孔３２ａに挿通可能となっている。
【００４３】
図４の（ａ）及び（ｂ）は、本実施形態に係るカーテン体の使用例を示す正面図である。
図４の（ａ）に示すように、設置したカーテン体Ａにおいては、カーテン地を一方側を他方側に引き寄せ、一方側の係止用通し孔３２ａに、他方側の係止用ボタン３２ｂを挿通させることにより、カーテン地３０の形を変え、カーテン地３０が捲れた状態とすることができる。
また、図４の（ｂ）に示すように、設置したカーテン体Ａにおいて、カーテン地３０の下側を持ち上げ、一方側の係止用通し孔３２ａに、一方側の係止用ボタン３２ｂを挿通させ、他方側の係止用通し孔３２ａに、他方側の係止用ボタン３２ｂを挿通させることにより、カーテン地３０の下方が捲れた状態とすることができる。
これらの状態は、例えば、カーテン体Ａにおいては、風通しを良くするため、カーテンの下側を開けたい場合等に利用することができる。
【００４４】
以上、本発明の好適な実施形態について説明したが、本発明は上記実施形態に限定されるものではない。
【００４５】
本実施形態に係るカーテン体Ａにおいては、帯状の紐２１が、支持棒１０に引っ掛けられ、その両端がカーテン地３０の裏側から表側に突き抜けるように、紐用通し孔３１ａに通した後、カーテン地３０の表側で、紐２１の一端と他端とを結んでいるが、例えば、図５に示すように、帯状の紐２１が、支持棒１０に引っ掛けられ、その一端のみをカーテン地３０の裏側から表側に突き抜けるように、紐用通し孔３１ａに通した後、カーテン地３０の表側で、紐２１の他端と結んでもよい。
すなわち、図１に示すカーテンＡのように、カーテン地３０の一方側から紐２１の両端を挿入し、カーテン地３０の他方側に結び目を設けてもよく、図５に示すカーテンのように、カーテン地３０を両側から挟むようにして、カーテン地３０の他方側に結び目を設けてもよい。
【００４６】
本実施形態に係るカーテン体Ａにおいては、帯状の紐２１の一端と他端とを二重止め結びで結んで環状紐２０としているが、結び方はこれに限定されず、例えば、本結び、ふた結び、もやい結び、巻き結び、蝶結び、外科結び等を採用することができる。
なお、結び目がカーテン地３０の表側に配置されることから、図６に示すように、例えば、蝶結びを選択することにより、意匠性に優れるものとすることができる。また、蝶結びは結び目が比較的大きいため、カーテン地３０をより十分に支持することができ、且つ、解き易いという利点も有する。
【００４７】
本実施形態に係るカーテン体Ａにおいては、環状紐２０が、帯状の紐２１の一端と他端とを結んで、当該紐２１を環状としたものとしているが、これに限定されない。
図７の（ａ）及び（ｂ）は、他の実施形態に係るカーテン体において環状紐の元となる帯状の紐を示す正面図である。
例えば、図７の（ａ）に示すように、環状紐は、結束用ボタン２２ｂと複数の結束用通し孔２２ａとが設けられた帯状の紐２２からなるものであってもよい。この場合、紐２２の一端のみをカーテン地３０の裏側から表側に突き抜けるように、紐用通し孔３１ａに通した後、カーテン地３０の表側で、結束用ボタン２２ｂを結束用通し孔２２ａのいずれかに挿通させることにより、当該紐２２を環状とした環状紐とすることができると共に、当該環状紐がカーテン地３０を支持することができる。
また、紐２２においては、結束用通し孔２２ａを複数設けているので、結束用ボタン２２ｂを挿通させる位置を選択することにより、環状紐の環部分の周長を調整することが可能となっている。
例えば、紐２２の結束用ボタン２２ｂ側の結束用通し孔２２ａを採用することにより、図８の（ａ）に示すように、環状紐の環部分の周長を短くすることができ、紐２２の結束用ボタン２２ｂとは反対側（端部側）の結束用通し孔２２ａを採用することにより、図８の（ｂ）に示すように、環状紐の環部分の周長を長くすることができる。
また、全ての紐の結束用ボタン２２ｂ及び結束用通し孔２２ａの位置を同一とすることにより、作製された環状紐は全て同一の周長となる。これにより、支持棒１０からカーテン地３０までの距離を容易に一定とすることができる。
また、結束用ボタンに着色等の装飾を施すことにより、意匠性を向上させることもできる。
【００４８】
図７の（ｂ）に示すように、環状紐は、タッチファスナーのフック部２３ｂとループ部２３ａとが設けられた帯状の紐２３からなるものであってもよい。この場合、紐２３の一端のみをカーテン地３０の裏側から表側に突き抜けるように、紐用通し孔３１ａに通した後、カーテン地３０の表側で、フック部２３ｂをループ部２３ａに結束させることにより、当該紐２３を環状とした環状紐とすることができると共に、当該環状紐がカーテン地３０を支持することができる。
また、紐２３においては、フック部２３ｂをループ部２３ａに結束させる位置を変えることにより、環状紐の環部分の周長を調整することが可能となっている。
【００４９】
これらに加え、環状紐は、図２の（ａ）に示す帯状の紐２１を、ピンやカフスボタン等の結束具で結束したものであってもよい。この場合、紐２１の一端のみをカーテン地３０の裏側から表側に突き抜けるように、紐用通し孔３１ａに通した後、カーテン地３０の表側で、紐２１の両端を結束具で結束することにより、当該紐２１を環状とした環状紐とすることができると共に、当該環状紐がカーテン地３０を支持することができる。
また、紐２３においては、結束具が結束する位置を変えることにより、環状紐の環部分の周長を調整することが可能となっている。
また、結束具に着色等の装飾を施すことにより、意匠性を向上させることもできる。
【００５０】
本実施形態に係るカーテン体Ａにおいては、環状紐２０の環部分Ｒ１を全て同一の周長としているが（図１参照）、これに限定されない。
例えば、環状紐の環部分の周長が長いものと短いものとを交互に配列することも可能である。
【００５１】
本実施形態に係るカーテン体Ａにおいては、上端部３１の紐用通し孔３１ａを、水平方向に延びる切れ込み状のものとしているが、丸状のものであってもよい。
また、紐用通し孔３１ａが丸状である場合、紐としてはロープ２１ａが好適に用いられる。
このとき、図９の（ａ）に示すように、カーテン地３０の一方側からロープ２１ａの両端を挿入し、カーテン地３０の他方側に結び目を設けてもよく、図９の（ｂ）に示すように、カーテン地３０を両側から挟むようにして、カーテン地３０の他方側に結び目を設けてもよい。
【００５２】
本実施形態に係るカーテン体Ａにおいては、カーテン地３０の両側に、係止用ボタン３２ｂと、係止用通し孔３２ａとが設けられているが、必ずしも必須ではない。
【産業上の利用可能性】
【００５３】
本発明に係るカーテン体は、遮光、防音、間仕切り等を目的として、窓の内側等の屋内に取り付けて用いられる。
本発明に係るカーテン体によれば、設置が容易であり、且つ、支持棒から床までのサイズに合うように縦寸法を調整することができる。
【符号の説明】
【００５４】
１０・・・支持棒
２０・・・環状紐
２１，２２，２３・・・（帯状の）紐
２１ａ・・・ロープ
２２ａ・・・結束用通し孔
２２ｂ・・・結束用ボタン
２３ａ・・・ループ部
２３ｂ・・・フック部
３０・・・カーテン地
３１・・・上端部
３１ａ・・・紐用通し孔
３２ａ・・・係止用通し孔
３２ｂ・・・係止用ボタン
Ａ・・・カーテン体
Ｌ１，Ｌ２・・・距離
Ｒ１・・・環部分
Ｒ２・・・紐部分
Ｇ・・・床
Ｈ１，Ｈ２・・・高さ
Ｗ１，Ｗ２・・・幅
【図１】
2018201720.tif 000003
【図２】
2018201720.tif 000004
【図３】
2018201720.tif 000005
【図４】
2018201720.tif 000006
【図５】
2018201720.tif 000007
【図６】
2018201720.tif 000008
【図７】
2018201720.tif 000009
【図８】
2018201720.tif 000010
【図９】
2018201720.tif 000011
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
支持棒と、環状紐と、カーテン地とからなり、
複数の前記環状紐が該支持棒にスライド自在となるように引っ掛けられており、
前記カーテン地の上端部には複数の紐用通し孔が設けられ、
前記環状紐が前記紐用通し孔にそれぞれ挿通されており、
前記カーテン地が前記環状紐に支持され、
前記環状紐の環部分の周長が調整可能となっており、
前記環状紐が、結束用ボタンと結束用通し孔とが設けられた帯状の紐の前記結束用ボタンを前記結束用通し孔に挿通させて、該紐を環状としたものであるカーテン体。
【請求項２】
カーテン地の前記上端部が、複数の生地が重ねられた多重生地部である請求項１記載のカーテン体。
【請求項３】
カーテン地の上端を折り畳むことにより、前記上端部が形成されている請求項１又は２記載のカーテン体。
【請求項４】
前記カーテン地の両側には、係止用ボタンと、係止用通し孔とが設けられており、
前記係止用ボタンが前記係止用通し孔に挿通可能となっている請求項１〜３のいずれか１項に記載のカーテン体。
【手続補正２】
【補正対象書類名】明細書
【補正対象項目名】０００９
【補正方法】変更
【補正の内容】
【０００９】
本発明は、（１）支持棒と、環状紐と、カーテン地とからなり、複数の環状紐が該支持棒にスライド自在となるように引っ掛けられており、カーテン地の上端部には複数の紐用通し孔が設けられ、環状紐が紐用通し孔にそれぞれ挿通されており、カーテン地が環状紐に支持され、環状紐の環部分の周長が調整可能となっており、環状紐が、結束用ボタンと結束用通し孔とが設けられた帯状の紐の結束用ボタンを結束用通し孔に挿通させて、該紐を環状としたものであるカーテン体に存する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明は、（２）カーテン地の上端部が、複数の生地が重ねられた多重生地部である上記（１）に記載のカーテン体に存する。
【手続補正８】
【補正対象書類名】明細書
【補正対象項目名】００１５
【補正方法】変更
【補正の内容】
【００１５】
本発明は、（３）カーテン地の上端を折り畳むことにより、上端部が形成されている上記（１）又は（２）記載のカーテン体に存する。
【手続補正９】
【補正対象書類名】明細書
【補正対象項目名】００１６
【補正方法】変更
【補正の内容】
【００１６】
本発明は、（４）カーテン地の両側には、係止用ボタンと、係止用通し孔とが設けられており、係止用ボタンが係止用通し孔に挿通可能となっている上記（１）〜（３）のいずれか１つに記載のカーテン体に存する。